(57)【要約】【課題】本発明は、壁コンセントのメンテナンス又は交換を容易に行うことができるモジュール化の壁コンセントを提供することを特徴とする。【解決手段】モジュール化の壁コンセントは、コンセントプレート、コンセント本体及びコンセントモジュールを含む。コンセントプレートは開口を有する。コンセント本体は収容空間を有する。コンセント本体は、コンセントプレートの裏側に設置される。コンセントモジュールには少なくとも一つの電気コネクタが設けられる。コンセントモジュールは、コンセントプレートの開口と対応しており、コンセント本体の収容空間の内部に着脱可能に設置される。これにより、コンセントモジュールのメンテナンス又は交換を容易に行うことができる。【選択図】図１
2013099243.tif 000002
【特許請求の範囲】
【請求項１】
開口を有するコンセントプレートと、
前記コンセントプレートの裏側に設置されており、収容空間を有するコンセント本体と、
少なくとも一つの電気コネクタを有しており、前記コンセントプレートの前記開口から外部に露出するように前記コンセント本体の前記収容空間の内部に着脱可能に設置されるコンセントモジュールと、
を含むことを特徴とするモジュール化の壁コンセント。
【請求項２】
前記コンセントプレートにおける前記開口の相対する両側には第１の係合部が設けられ、
前記コンセント本体の相対する両側には第２の係合部が設けられ、
前記第１の係合部と前記第２の係合部とは互いに係合することを特徴とする請求項１に記載のモジュール化の壁コンセント。
【請求項３】
前記第１の係合部は、複数の係止孔を有し、
前記第２の係合部は、複数の係止体を有し、
前記複数の係止孔と前記複数の係止体とは互いに係止固定することを特徴とする請求項２に記載のモジュール化の壁コンセント。
【請求項４】
相対する両側の外縁に前記第１の係合部と係合するための第３の係合部が設けられるコンセントユニットを更に含むことを特徴とする請求項２に記載のモジュール化の壁コンセント。
【請求項５】
コンセントユニットを更に含み、
前記コンセント本体と前記コンセントユニットとは、固定部により前記コンセントプレートと連接固定し、
前記固定部は、前記コンセント本体と前記コンセントユニットの外部とに設置されており、その両端がボルトにより前記コンセントプレートに締め付けられて固定されることを特徴とする請求項１に記載のモジュール化の壁コンセント。
【請求項６】
前記コンセント本体の後側には配線孔が設けられることを特徴とする請求項１に記載のモジュール化の壁コンセント。
【請求項７】
前記コンセントモジュールの周縁には凹部が設けられることを特徴とする請求項１に記載のモジュール化の壁コンセント。
【請求項８】
前記コンセントモジュールの周縁には締付孔が設けられ、
ボルトが前記コンセントモジュールの前記締付孔に螺入されることによって、前記コンセントモジュールが前記コンセント本体に締め付けられて固定されることを特徴とする請求項１に記載のモジュール化の壁コンセント。
【請求項９】
前記コンセントモジュールは充電器であり、
前記コンセントモジュールの内部には、前記少なくとも一つの電気コネクタに電気的に接続される充電回路が設けられることを特徴とする請求項１に記載のモジュール化の壁コンセント。
【請求項１０】
前記コンセントモジュールと前記コンセント本体とには対応する電気接点がそれぞれ設けられ、
前記コンセントモジュールの前記電気接点と前記コンセント本体の前記電気接点とは電気的に接続されることを特徴とする請求項１に記載のモジュール化の壁コンセント。
【請求項１１】
前記コンセントプレートの底側には載置板が枢接され、
前記載置板は、水平位置に回転したり前記コンセントプレートの先端部の上に重ねるように上向きに回転したりすることを特徴とする請求項１に記載のモジュール化の壁コンセント。
【請求項１２】
前記コンセントプレートの後側には、その前側にスルーホールが設けられる収容カセットが設置され、
前記収容カセットの内部には載置板が移動可能に設置され、
前記載置板は、前記収容カセットの内部に収容されたり前記収容カセットのスルーホールから外部に引き出されたりすることを特徴とする請求項１に記載のモジュール化の壁コンセント。
【請求項１３】
接続コードと電気コネクタとを更に含み、
前記接続コードは、その一端が前記コンセントモジュールに電気的に接続され、その他端が前記電気コネクタに電気的に接続され、
前記コンセントプレートの周縁にはワイヤスロットが設けられ、
前記接続コードは、前記ワイヤスロットに選択的に取り囲まれることを特徴とする請求項１に記載のモジュール化の壁コンセント。
【請求項１４】
前記コンセントプレートの周縁には収納槽が設けられ、
前記電気コネクタは、前記収納槽の内部に選択的に収容されることを特徴とする請求項１３に記載のモジュール化の壁コンセント。
【請求項１５】
前記コンセントプレートの周縁には収容槽が設けられ、
前記接続コードの一端にはコネクタが設けられ、
前記コンセントモジュールの周縁には、前記収容槽と対応するモジュールコネクタが設けられ、
前記コネクタは、前記収容槽の内部に収容されており、前記モジュールコネクタに挿入されることを特徴とする請求項１３に記載のモジュール化の壁コンセント。
【請求項１６】
前記コンセントモジュールは、前記コンセントプレートに制限されることによって、前記コンセント本体の前記収容空間の内部に固定されることを特徴とする請求項１に記載のモジュール化の壁コンセント。
【請求項１７】
スイッチユニットを更に含み、
前記スイッチユニットは、前記コンセント本体の収容空間の内部に着脱可能に設置されており、前記コンセントプレートの開口から外部に露出することを特徴とする請求項１に記載のモジュール化の壁コンセント。
【請求項１８】
コンセントユニットを更に含み、
前記コンセントユニットは、前記コンセント本体の収容空間の内部に着脱可能に設置されており、前記コンセントプレートの開口から外部に露出することを特徴とする請求項１に記載のモジュール化の壁コンセント。
【請求項１９】
前記コンセントプレートと前記コンセント本体とは一体成形してなることを特徴とする請求項１に記載のモジュール化の壁コンセント。
【請求項２０】
収容空間を有するコンセント本体と、
少なくとも一つの電気コネクタを有しており、前記コンセント本体の前記収容空間の内部に着脱可能に設置されるコンセントモジュールと、
を含むことを特徴とするモジュール化の壁コンセント。
【発明の詳細な説明】
【技術分野】
【０００１】
本発明は、コンセントに関するものであり、特に壁などの固定物に適用するモジュール化の壁コンセント（ｗａｌｌ ｓｏｃｋｅｔ）に関するものである。
【背景技術】
【０００２】
従来の室内での商用交流電源の配置の多くは、電力線が壁の中に埋め込まれて、壁に設置されてあるコンセントにより商用交流電源の電力線又は信号ケーブルを電気的に接続するようにしている。電子機器（例えば、携帯電話、デジタルカメラ、ＰＤＡ（パーソナル・デジタル・アシスタント）装置又はその他のポータブル電子機器など）に電力を供給したり電子機器の電池を充電したりしようとする場合、ユーザーは電源ケーブルを介して電子機器をコンセントに接続することによって、商用交流電源の電力を電子機器に受電させることができる。一方、電子機器がインターネットを介して情報やデータを送受信しようとする場合、ユーザーは伝送ケーブルを介して電子機器を信号回路に接続することによって、電子機器をインターネットに接続することができる。
【発明の概要】
【発明が解決しようとする課題】
【０００３】
しかしながら、従来の壁コンセントは、コンセント本体が壊れてメンテナンスしようとする場合、又は異なる形式のコンセント本体に交換しようとする場合、コンセント本体全体を取り外さないと、コンセント本体のメンテナンス若しくはコンセント本体の交換を行うことができないため、使用面及びメンテナンス面に非常に不便である。
【０００４】
本発明の主な目的は、壁コンセントのメンテナンス又は交換を容易に行うことができるモジュール化の壁コンセントを提供することにある。
【課題を解決するための手段】
【０００５】
本発明に係るモジュール化の壁コンセントは、開口を有するコンセントプレートと、前記コンセントプレートの裏側に設置されており、収容空間を有するコンセント本体と、少なくとも一つの電気コネクタを有しており、前記コンセントプレートの前記開口から外部に露出するように前記コンセント本体の前記収容空間の内部に着脱可能に設置されるコンセントモジュールと、を含む。
【０００６】
他の実施例において、本発明に係るモジュール化の壁コンセントは、収容空間を有するコンセント本体と、少なくとも一つの電気コネクタを有しており、前記コンセント本体の前記収容空間の内部に着脱可能に設置されるコンセントモジュールと、を含む。
【発明の効果】
【０００７】
本発明において、コンセントモジュールをコンセント本体の収容空間の内部に着脱可能に設置するため、必要に応じてコンセントモジュールを取り外してコンセントモジュールのメンテナンス又は交換を容易に行うことができる。これにより、コンセント本体全体を取り外すことがないため、壁コンセントのメンテナンス又は交換を容易に行うことができる。
【図面の簡単な説明】
【０００８】
【図１】本発明に係るモジュール化の壁コンセントの第１の実施例の立体分解図を示すものである。
【図２】本発明に係るモジュール化の壁コンセントの第１の実施例の立体組立図を示すものである。
【図３】本発明に係るモジュール化の壁コンセントの第２の実施例の立体分解図を示すものである。
【図４】本発明に係るモジュール化の壁コンセントの第２の実施例の立体組立図を示すものである。
【図５】本発明に係るモジュール化の壁コンセントの第３の実施例の立体組立図を示すものである。
【図６】本発明に係るモジュール化の壁コンセントの第４の実施例の立体分解図を示すものである。
【図７】本発明に係るモジュール化の壁コンセントの第５の実施例の立体分解図を示すものである。
【図８】本発明に係るモジュール化の壁コンセントの第６の実施例の立体分解図を示すものである。
【図９】本発明に係るモジュール化の壁コンセントの第６の実施例の立体組立図を示すものである。
【図１０】本発明に係るモジュール化の壁コンセントの第７の実施例の立体分解図を示すものである。
【図１１】本発明に係るモジュール化の壁コンセントの第８の実施例の立体組立図を示すものである。
【図１２】本発明に係るモジュール化の壁コンセントの第９の実施例の立体分解図を示すものである。
【発明を実施するための形態】
【０００９】
以下、本明細書と図面に開示された本発明の実施形態は、本発明の技術内容をより分かりやすく説明し、本発明の理解を助けるために実施例を挙げたことに過ぎず、本発明の範囲を限定するものではない。ここに開示された実施形態以外にも、本発明の技術的思想に基づく他の変形例も実施可能であることは、本発明の属する技術分野における当業者に自明なことである。
【実施例】
【００１０】
（第１の実施例）
図１と図２とを参照しながら説明する。本発明に係るモジュール化の壁コンセントは、台湾規格、アメリカ規格又は欧州規格などの規格に準拠するコンセントであってもよく、漏電回路安全装置（Ｇｒｏｕｎｄ Ｆａｕｌｔ Ｃｉｒｃｕｉｔ Ｉｎｔｅｒｒｕｐｔｅｒ、ＧＦＣＩ）の規範に符合するコンセントであってもよく、その規格に限定されるものではない。本実施例において、台湾規格に準拠する壁コンセントを例として説明する。本実施例において、壁コンセントはコンセントプレート１、コンセント本体２及びコンセントモジュール３を含む。本実施例において、コンセントプレート１は矩形のプレートであるが、その形状及び規格は特に限定されておらず、ニーズに応じて適当に変更することができる。コンセントプレート１は、単層プレート、二層プレート又は多層プレートで構成するようにしてもよい。コンセントプレート１は開口１１を有する。開口１１は、矩形又はあらゆる形状のスルーホール（ｔｈｒｏｕｇｈ ｈｏｌｅ）であってもよい。コンセント本体２の一側は開口１１に対応して合わせる。コンセントプレート１の一面（裏面）には第１の係合部１２が設けられる。第１の係合部１２は、コンセントプレート１における開口１１の相対する両側にそれぞれ設けられる。第１の係合部１２は、コンセント本体２を係止固定するための複数の係止孔１２１を有する。また、第１の係合部１２の構造について特に制限がない。
【００１１】
コンセント本体２は一般のコンセントユニットの外形と類似しており、大体「凸」字形を呈する。コンセント本体２は収容空間２１を有する。収容空間２１は、コンセント本体２の前側の端部から内部に向かって延伸しており、その形状はコンセントモジュール３の外形と対応する。コンセント本体２の後側には配線孔２２が設けられている。配線孔２２には電線の裸線部が挿入され、配線孔２２内部の線固定用弾性片（図示せず）に電線の裸線部が接触されることによって、電線とコンセント本体２とが互いに電気的に接続される。これにより、電線からの電力をコンセント本体２に伝送することができる。コンセント本体２はコンセントプレート１の裏側に設置される。コンセント本体２の外縁には、第１の係合部１２と対応する第２の係合部２３が設けられる。第２の係合部２３は、コンセント本体２の相対する両側に設けられており、第１の係合部１２と互いに係合することができる。第２の係合部２３の構造について特に制限がない。本実施例において、第２の係合部２３は、複数の係止孔１２１と互いに係止固定するための複数の係止体２３１を有する。複数の係止孔１２１と複数の係止体２３１との係止固定により、コンセント本体２とコンセントプレート１とが連接固定される。
【００１２】
コンセントモジュール３は、矩形又は他の形状のモジュールであってもよい。コンセントモジュール３には、少なくとも一つの電気コネクタ３１が設置される。電気コネクタ３１は、例えばＵＳＢコネクタ、ＩＥＥＥ１３９４コネクタ、ＨＤＭＩコネクタ、ＡＶ端子又はＤＣ端子などの各種のコネクタ又はソケットであってもよく、その規格及び型式は特に限定されない。コンセントモジュール３はコンセントプレート１の開口１１と対応する。コンセントモジュール３は、コンセントプレート１の開口１１から外部に露出するようにコンセント本体２の収容空間２１に着脱可能に設置される。一方、コンセントモジュール３の長さ及び幅さをコンセントプレート１の開口１１よりも小さくする場合、依然としてコンセントプレート１の開口１１から直接に取り外すことができるため、コンセントモジュール３のメンテナンス又は交換を容易に行うことができる。
【００１３】
コンセントモジュール３の周縁には凹部３２と締付孔３３とが更に設けられるようにしてもよい。凹部３２は締付孔３３の前方にある。ボルト３４が締付孔３３に螺入されることによって、ボルト３４によりコンセントモジュール３がコンセント本体２に締め付けられて固定される。コンセントモジュール３がコンセント本体２の収容空間２１に収容される場合、凹部３２はコンセントモジュール３とコンセント本体２との間に位置するため、凹部３２を適当に隠蔽することで子供に見られにくくする効果を奏することができる。
【００１４】
コンセントモジュール３は、その内部に電気コネクタ３１に電気的に接続される充電回路３５又は他の回路が設置されてある充電器であってもよい。コンセントモジュール３の外側面には、入力端子としての一つ、二つ又は複数の電気接点３６が設けられる。電気接点３６は充電回路３５と電気コネクタ３１とに電気的に接続される。コンセント本体２には、コンセントモジュール３の電気接点３６と対応する電気接点２４が設けられる。電気接点２４は線固定用弾性片（図示せず）などのものに電気的に接続される。コンセントモジュール３の電気接点３６とコンセント本体２の電気接点２４とが互いに接触されて電気的に接続されることによって、コンセントモジュール３とコンセント本体２における回路とが互いに電気的に接続される。これにより、コンセント本体２からの電力又は信号をコンセントモジュール３に伝送することができる。また、電気コネクタ３１は出力端子として機能する。コンセントモジュール３には、トランス、表示ランプ及びセンサーなどのエレメントを更に設置するようにしてもよい。
【００１５】
また、壁コンセントは一般のコンセントユニット４を更に含んでもよい。コンセントユニット４の後側には配線孔（図示せず）が設けられるようにしてもよい。電線の裸線部を配線孔に挿入して配線孔内部の線固定用弾性片（図示せず）に電線の裸線部を接触させることによって、電線がコンセントユニット４に電気的に接続される。これにより、電線からの電力を、コンセントユニット４及び電気コネクタ４２に伝送することができる。コンセントユニット４の外縁には、第１の係合部１２と対応する第３の係合部４１が設けられる。第３の係合部４１は、コンセントユニット４の相対する両側に設けられており、コンセントプレート１の第１の係合部４１と互いに係合することができる。本実施例において、コンセントユニット４とコンセントプレート１とを連接固定するために、第３の係合部４１は、コンセントプレート１の係止孔１２１と互いに係止固定するための二つの係止体４１１を有する。コンセントユニット４は、コンセントプレート１の開口１１から外部に露出する。
【００１６】
（第２の実施例）
図３と図４とを参照しながら説明する。第２の実施例はアメリカ規格に準拠するモジュール化の壁コンセントを提供する。以下、第１の実施例との相違点を説明する。第２の実施例において、コンセント本体２とコンセントユニット４とは互いに連接して一体化されるものである。コンセント本体２とコンセントユニット４とは、固定部８によりコンセントプレート１と連接固定される。具体的に言えば、固定部８はコンセント本体２とコンセントユニット４の外側とにそれぞれ設置される。固定部８の両端は、ボルト８１によりコンセントプレート１に締め付けて固定される。これにより、コンセント本体２とコンセントユニット４とをコンセントプレート１に連接固定できる。コンセントモジュール３は、コンセント本体２の収容空間２１に着脱可能に設置される。コンセントモジュール３は、コンセントプレート１の開口１１と対応すると共にコンセントプレート１の開口１１から外部に露出する。
【００１７】
（第３の実施例）
図５を参照しながら説明する。第３の実施例は、他の型式のコンセントプレート１を含むモジュール化の壁コンセントを提供する。コンセントプレート１の底部には、二つの第１の枢支部１３が設けられる。二つの第１の枢支部１３は枢軸孔であってもよい。コンセントプレート１の先端部には載置板５が設けられる。載置板５の一側には、二つの第２枢支部の５１が設けられる。二つの第２の枢支部５１は枢軸であってもよい。載置板５の一側に設けられてある二つの第２の枢支部５１とコンセントプレート１の底側に設けられてある二つの第１の枢支部１３とが互いに枢接されることによって、載置板５はコンセントプレート１に回転可能に設けられる。載置板５は、電子機器を載置するように水平位置に回転したり、コンセントプレート１の先端部の上に重ねるように上向きに回転したりすることができる。また、コンセントユニット４の電気コネクタ４２は前の実施例の電気コネクタと異なる型式のコネクタであってもよい。
【００１８】
（第４の実施例）
図６を参照しながら説明する。第４の実施例において、コンセントプレート１の後側には収容カセット６が設置されるように、他の型式のコンセントプレート１を含むモジュール化の壁コンセントを提供する。収容カセット６の前側はスルーホール６１を有する。収容カセット６の内部には、載置板５が移動可能に設置される。載置板５は、収容カセット６の内部に収容されたり収容カセット６のスルーホール６１から外部に引き出されたりすることができる。また、載置板５が収容カセット６から外部に引き出された場合、電子機器を載置板５の上に載置することができる。
【００１９】
（第５の実施例）
図７を参照しながら説明する。第５の実施例において、接続コード７及び電気コネクタ７２を更に含むモジュール化の壁コンセントを提供する。接続コード７は、その一端がコンセントモジュール３に電気的に接続され、その他端が電気コネクタ７２に電気的に接続される。接続コード７は、コンセントパレート１の周縁に選択的に取り囲まれるようにしてもよい。
【００２０】
本実施例において、コンセントプレート１の周縁にはワイヤスロット１４が凹設されるようにしてもよい。ワイヤスロット１４は、接続コード７がコンセントプレート１の周縁に取り囲まれるように接続コード７を収容する。接続コード７の一端にはコネクタ７１が設けられるようにしてもよい。コネクタ７１と電気コネクタ７２とは、ＵＳＢコネクタ、ＩＥＥＥ１３９４コネクタ、ＨＤＭＩコネクタ、ＡＶ端子又はＤＣ端子などの各種の電気コネクタであってもよい。コンセントプレート１の周縁には、収容槽１５及び収納槽１６が更に凹設されるようにしてもよい。収容槽１５と収納槽１６とは、ワイヤスロット１４にそれぞれ連接して相通しており、コネクタ７１と電気コネクタ７２とをそれぞれ収容するためのものである。接続コード７は、コンセントプレート１の周縁に選択的に取り囲まれるようにしてもよい。即ち、接続コード７を使用しない場合、接続コード７をコンセントプレート１の周縁にあるワイヤスロット１４の内部に取り囲まれるようにして固定し、接続コード７を使用する場合、接続コード７をワイヤスロット１４から取り外すようにしてもよい。
【００２１】
コンセントモジュール３の周縁には、コンセントプレート１の収容槽１５と対応するモジュールコネクタ３７が設けられる。モジュールコネクタ３７は、ＵＳＢコネクタ、ＩＥＥＥ１３９４コネクタ、ＨＤＭＩコネクタ、ＡＶ端子又はＤＣ端子などの各種の電気コネクタであってもよい。モジュールコネクタ３７がコンセントモジュール３におけるコンセントプレート１の収容槽１５と隣接する一側に設けられるため、コネクタ７１は収容槽１５の内部に収容されると同時にモジュールコネクタ３７に挿入されることができる。これにより、接続コード７と電気コネクタ７２とは、コネクタ７１とモジュールコネクタ３７とを介してコンセントモジュール３に電気的に接続される。また、コネクタ７１は収容槽１５とモジュールコネクタ３７の内部とに同時に挿入されるため、より良い固定効果が得られる。これにより、コネクタ７１は、コンセントプレート１とコンセントモジュール３とに安定に挿設されることができる。
【００２２】
本実施例において、コンセントプレート１には接続コード７と電気コネクタ７２とが着脱可能に設けられる。ユーザーは接続コード７と電気コネクタ７２とを使用しようとする場合、時間を掛けて接続コード７と電気コネクタ７２とを探すことなく、接続コート７と電気コネクタ７２とをコンセントプレート１のワイヤスロット１７と収納槽１６とから引き出せば使用できるため、使用利便性がよい。一方、接続コード７と電気コネクタ７２とを使用しない場合、接続コード７と電気コネクタ７２とを引き抜くことなく、接続コード７と電気コネクタ７２とをコンセントプレート１のワイヤスロット１４と収納槽１６の内部とに収容することができるため、接続コード７と電気コネクタ７２とが無くなったり互いに干渉したりすることを防ぐことができ、引き出しやすく使用しやすいなどの効果を有する。また、接続コード７の一端は、他の方式によりコンセントユニット４に電気的に接続されるようにしてもよい。
【００２３】
本実施例において、コンセントモジュール３はコンセント本体２の収容空間２１の内部に着脱可能に設置されるため、コンセント本体２全体を取り外すことなく、必要に応じてコンセントモジュール３を引き出すことができるため、コンセントモジュール３のメンテナンス又は交換を容易に行うことができ、ひいては壁コンセントをより容易に使用したりメンテナンスしたりすることができる。また、コンセントモジュール３は、コンセントプレート１の開口１１から直接に取り外すことによってコンセントモジュール３のメンテナンス又は交換を行うことができる。
【００２４】
（第６の実施例）
図８と図９とを参照しながら説明する。第６の実施例において、コンセントモジュール３の外側には一つ、二つ又は複数の電気接点３６が設けられる。コンセントユニット４の外側にはコンセントモジュール３の電気接点と対応する電気接点２４が設けられる。コンセントモジュール３の電気接点３６とコンセントユニット４の外側にある電気接点２４とは互いに接触されることによって互いに電気的に接続される。コンセントモジュール３は、両側がコンセントプレート１により制限されるように、コンセント本体２の収容空間２１の内部に着脱可能に設置される。また、本実施例において、コンセントモジュール３はコンセントプレート１の開口１１から直接に取り外すことができない。コンセントプレート１を取り外した後、コンセントモジュール３のメンテナンス又は交換を行う。また、コンセントモジュール３には、他の型式の電気コネクタ３１（例えばＭｉｎｉ  ＵＳＢコネクタなど）が増設されるようにしてもよい。
【００２５】
（第７の実施例）
図１０を参照しながら説明する。第７の実施例において、その底側には載置板５と枢接する他の型式のモジュール化のコンセントプレート１を含む壁コンセントを提供する。載置板５は、水平位置に回転したり、コンセントプレート１の先端部の上に重ねるように上向きに回転したりすることができる。
【００２６】
（第８の実施例）
図１１を参照しながら説明する。第８の実施例において、モジュール化の壁コンセントはスイッチユニット９を更に含む。スイッチユニット９はコンセントプレート１の開口１１と対応する。スイッチユニット９は、コンセントプレート１の開口１１から外部に露出するように、コンセント本体２の収容空間２１の内部に着脱可能に設置される。
【００２７】
（第９の実施例）
図１２を参照しながら説明する。第９の実施例において、コンセントユニット４は、コンセントプレート１の開口１１と対応しており、コンセントプレート１の開口１１から外部に露出するようにコンセント本体２の収容空間２１の内部に着脱可能に設置される。コンセントモジュール３には、使用状態を表示するための少なくとも一つの発光素子（例えば発光ダイオードなど）３８が設けられる。また、電気接点２４、３６は、それぞれ栓刃差込口と栓刃とであり、コンセント本体２とコンセントユニット４とにそれぞれ設けられる。また、コンセントプレート１とコンセント本体２とは、一体成形してなるものであってもよい（図示せず）。また、コンセントプレート１を省略してもよい。
【００２８】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【符号の説明】
【００２９】
１  コンセントプレート
１１  開口
１２  第１の係止部
１２１  係合孔
１３  第１の枢支部
１４  ワイヤスロット
１５  収容槽
１６  収納槽
２  コンセント本体
２１  収容空間
２２  配線孔
２３  第２の係合部
２３１  係止体
２４  電気接点
３  コンセントモジュール
３１  電気コネクタ
３２  凹部
３３  締付孔
３４  ボルト
３５  充電回路
３６  電気接点
３７  モジュールコネクタ
３８  発光素子
４  コンセントユニット
４１  第３の係合部
４１１  係止体
４２  電気コネクタ
５  載置板
５１  第２の枢支部
６  収容カセット
６１  スルーホール
７  接続コード
７１  コネクタ
７２  電気コネクタ
８  固定部
８１  ボルト
９  スイッチユニット
【図１】
2013099243.tif 000003
【図２】
2013099243.tif 000004
【図３】
2013099243.tif 000005
【図４】
2013099243.tif 000006
【図５】
2013099243.tif 000007
【図６】
2013099243.tif 000008
【図７】
2013099243.tif 000009
【図８】
2013099243.tif 000010
【図９】
2013099243.tif 000011
【図１０】
2013099243.tif 000012
【図１１】
2013099243.tif 000013
【図１２】
2013099243.tif 000014